(57)【要約】【課題】内燃機関において、オイルの温度をより速やかに上昇させることができる技術を提供する。【解決手段】排気ポート６と、シリンダヘッド１ａへ供給されたオイルが流通する箇所に開口部を有しシリンダヘッド１ａへ供給されたオイルがシリンダヘッド１ａから排出されるときに通過するオイル落し通路１５と、オイルの温度が低いほどオイル落し通路１５を流通するオイルの量を減少させるオイル流通量調整手段１７と、を備え、シリンダヘッド１ａは、オイル落し通路１５の開口部にオイルが集まるように形成し、且つ、オイル落し通路１５の開口部は、排気ポート６を流通する排気の熱を受け開口部においてオイルの温度が上昇するように排気ポート６の近傍に形成する。【選択図】図１
2005042622.tif 000002
【特許請求の範囲】
【請求項１】
内燃機関の燃焼室に接続され該燃焼室内から排出される排気が流通する排気ポートと、
シリンダヘッドへ供給されたオイルが流通する箇所に開口部を有し、該シリンダヘッドへ供給されたオイルが該シリンダヘッドから排出されるときに通過するオイル落し通路と、
オイルの温度が低いほど前記オイル落し通路を流通するオイルの量を減少させるオイル流通量調整手段と、
を備え、
前記シリンダヘッドは、前記オイル落し通路の開口部にオイルが集まるように形成され、且つ、前記オイル落し通路の開口部は、前記排気ポートを流通する排気の熱を受け該開口部においてオイルの温度が上昇するように排気ポートの近傍に形成されていることを特徴とする内燃機関。
【請求項２】
前記オイル落し通路は、前記排気ポートを流通する排気の熱を受けて該オイル落し通路を流通するオイルの温度が上昇する位置に形成されていることを特徴とする請求項１に記載の内燃機関。
【請求項３】
前記オイル落し通路の開口部に形成され、前記シリンダヘッドへ供給されたオイルを一時貯留可能で、且つ前記排気ポートを流通する排気の熱を受け、一時貯留されたオイルの温度を上昇させるオイル貯留手段を更に備えることを特徴とする請求項１または２に記載の内燃機関。
【発明の詳細な説明】
【技術分野】
【０００１】
本発明は、内燃機関に関する。
【背景技術】
【０００２】
内燃機関の潤滑油（オイル）は、温度が低いと粘性が高いため、内燃機関の効率を低下させる。
【０００３】
そして、排気ポートの下にオイル通路パイプを通すことにより、油温を効率よく上昇させる技術（例えば、特許文献１参照。）が知られている。
【特許文献１】実開平６−４０３０５号公報
【特許文献２】特開平１１−８１９５４号公報
【特許文献３】特開２０００−２９７６２２号公報
【特許文献４】実開平２−７８７０３号公報
【発明の開示】
【発明が解決しようとする課題】
【０００４】
ところで、オイルの温度を更に速やかに上昇させることができれば、内燃機関の効率を更に向上させることができる。
【０００５】
本発明は、上記したような問題点に鑑みてなされたものであり、内燃機関において、オイルの温度をより速やかに上昇させることができる技術を提供することを目的とする。
【課題を解決するための手段】
【０００６】
上記課題を達成するために本発明による内燃機関は、以下の手段を採用した。即ち、
内燃機関の燃焼室に接続され該燃焼室内から排出される排気が流通する排気ポートと、
シリンダヘッドへ供給されたオイルが流通する箇所に開口部を有し、該シリンダヘッドへ供給されたオイルが該シリンダヘッドから排出されるときに通過するオイル落し通路と、
オイルの温度が低いほど前記オイル落し通路を流通するオイルの量を減少させるオイル流通量調整手段と、
を備え、
前記シリンダヘッドは、前記オイル落し通路の開口部にオイルが集まるように形成され、且つ、前記オイル落し通路の開口部は、前記排気ポートを流通する排気の熱を受け該開口部においてオイルの温度が上昇するように排気ポートの近傍に形成されていることを特徴とする。
【０００７】
本発明の最大の特徴は、内燃機関の冷間始動時等のオイルの温度が低い場合であっても、温度の上昇が早い排気ポート近傍にオイルを集め、排気の熱を利用してオイルの温度を速やかに上昇させることにある。
【０００８】
即ち、冷間始動時等であって内燃機関全体の温度が低い場合でも、燃焼室から排出される排気により排気ポート壁面の温度は他の部位と比較して温度が早く上昇する。そして、排気ポート周辺にはその熱が伝わる。従って、この熱が伝わる位置にオイルを流通させる
と、オイルの温度を速やかに上昇させることができる。また、前記熱が伝わる位置にオイルを集めることにより、オイルがより多くの熱を受け、より速やかにオイルの温度が上昇する。そして、オイル流量調整手段によりオイルの温度が低いほど前記オイル落し通路を流通するオイルの量を少なくすることにより、オイルの受ける熱量が増加する。これにより、オイルの温度を速やかに上昇させることが可能となる。一方、オイルの温度が高くなると、オイル落し通路を流通するオイルの量が増加するので、オイルが必要以上に熱を受けることを抑制することが可能となる。
【０００９】
本発明においては、前記オイル落し通路は、前記排気ポートを流通する排気の熱を受けて該オイル落し通路を流通するオイルの温度が上昇する位置に形成されていても良い。
【００１０】
前記したように、排気ポートの近傍は温度の上昇が早いため、ここへオイルを流通させることにより、オイルの温度を速やかに上昇させることができる。即ち、前記したように、オイル落し通路の開口部を排気ポート近傍に設けることにより、オイル落し通路にオイルが流入するときに該オイルの温度を上昇させることができるが、更に、オイル落し通路を排気ポート近傍に設けることにより、該オイル落し通路においても排気の熱を受けることができ、より速やかにオイルの温度を上昇させることができる。
【００１１】
本発明においては、前記オイル落し通路の開口部に形成され、前記シリンダヘッドへ供給されたオイルを一時貯留可能で、且つ前記排気ポートを流通する排気の熱を受け、一時貯留されたオイルの温度を上昇させるオイル貯留手段を更に備えていても良い。
【００１２】
前記したように、排気ポートの近傍は温度の上昇が早いため、この近傍にオイルを一時貯留させることにより、より多くの熱を受けオイルの温度をより速やかに上昇させることができる。
【発明の効果】
【００１３】
本発明に係る内燃機関では、排気ポートを流通する排気の熱をオイルに多く伝えることができ、該オイルの温度を速やかに上昇させることができる。
【発明を実施するための最良の形態】
【００１４】
以下、本発明に係る内燃機関の具体的な実施態様について図面に基づいて説明する。ここでは、本発明に係る内燃機関を車両駆動用のガソリン機関に適用した場合を例に挙げて説明する。
【実施例１】
【００１５】
図１は、本実施例に係るエンジンの概略構成を示す図である。
【００１６】
図１に示すエンジン１は、４サイクル・ガソリン機関である。エンジン１は、シリンダヘッド１ａ、シリンダヘッド１ａの下部に連結されたシリンダブロック１ｂ、シリンダブロック１ｂの更に下部に連結されたオイルパン１ｃを備えて構成される。
【００１７】
シリンダブロック１ｂは、往復運動を行うピストン２及び該ピストン２の往復運動を回転運動に変換するクランクシャフト３を備えて構成される。ピストン２はピストンピン（図示省略）を介してコネクティングロッド４の一端と接続され、該コネクティングロッド４の他端は、クランクシャフト３と接続されている。
【００１８】
シリンダヘッド１ａには、吸気ポート５及び排気ポート６が形成されており、この吸気ポート５及び排気ポート６と燃焼室７との境界には、上下に往復し該吸気ポート５及び排気ポート６を開閉する吸気弁８及び排気弁９が備えられている。吸気弁８は吸気カムシャ
フト１０により、排気弁９は排気カムシャフト１１により上下に往復される。以下、クランクシャフト３、吸気カムシャフト１０、排気カムシャフト１１が摺動する箇所を被潤滑部と称する。
【００１９】
一方、シリンダブロック１ｂには、クランクシャフト３の回転数に応じた量のオイルを吐出するオイルポンプ１２が備えられている。このオイルポンプ１２には、オイル通路１３が接続されている。オイル通路１３の途中には、オイルを被潤滑部に分配するメインオイルギャラリ１４が設けられている。また、オイル通路１３は、オイルパン１ｃに貯留されているオイル中にその一端が開口している。一方、オイル通路１３の他端は、クランクシャフト３、吸気カムシャフト１０、排気カムシャフト１１等の被潤滑部に接続されている。そして、オイルパン１ｃに貯留されているオイルは、オイルポンプ１２によりメインオイルギャラリ１４へ汲み上げられ、その後、オイル通路１３を流通して前記被潤滑部に供給される。その結果、被潤滑部の潤滑が行われる。
【００２０】
尚、シリンダヘッド１ａには、動弁室１ｄが形成され、該動弁室１ｄに吸気カムシャフト１０や排気カムシャフト１１が設置されている。そして、シリンダヘッド１ａの被潤滑部に供給されたオイルは、動弁室１ｄ内に流れ落ちる。
【００２１】
ここで、エンジン１には、シリンダヘッド１ａの動弁室１ｄとオイルパン１ｃを連通するオイル落し通路１５が設けられている。このオイル落し通路１５は、動弁室１ｄからシリンダヘッド１ａ及びシリンダブロック１ｂを貫通してオイルパン１ｃに至る通路である。オイル落し通路１５は、動弁室１ｄの底面に開口しているが、この開口部にオイルが集まりやすいように、該開口は動弁室１ｄの底面の比較的低い部分に形成されている。また、該開口にオイルを集まりやすくするために、動弁室１ｄの底面を傾斜させ開口部が低くなるようにしても良い。
【００２２】
更に、オイル落し通路１５の開口部は、排気ポート６の近傍で且つ排気ポート６を流通する排気の熱を受けやすい位置に形成する。
【００２３】
ここで、図２は、シリンダヘッド１ａの形状図である。図２（Ａ）はシリンダヘッド１ａの下面視、図２（Ｂ）はシリンダヘッド１ａの上面視である。
【００２４】
オイル落し通路１５は、一の気筒の燃焼室に接続されている排気ポートと、それに隣接する他の気筒の燃焼室に接続されている排気ポートと、の間に形成されている。
【００２５】
また、排気ポート６の上側、及び、オイル落し通路１５の開口部には、シリンダブロック１ｂ側へ窪み、オイルを一時貯留可能なオイル溜まり１６が設けられている。このオイル溜まり１６は、オイル落し通路１５の開口部周辺の動弁室１ｄの底面を一部窪ませたものであり、且つ全ての気筒に接続される全ての排気ポートの上側を覆うように形成されている。
【００２６】
このように構成されたシリンダヘッド１ａでは、シリンダヘッド１ａの被潤滑部を潤滑したオイルは、動弁室１ｄ内に流れ落ちる。その後、オイルは動弁室１ｄの底面を流れてオイル落し通路１５の開口部に集められ、最初にオイル溜まり１６に流入し、該オイル溜まり１６に一時滞留する。そして、開口部から自重によりオイル落し通路１５を落下してオイルパン１ｃに戻される。
【００２７】
ここで、オイル溜まり１６は、排気ポート６を流通する排気の熱を受ける位置に設けられているため、オイル溜まり１６に滞留しているオイルは加熱され温度が速やかに上昇される。
【００２８】
また、動弁室１ｄに設けられたオイル落し通路１５の開口部は、排気ポート６を流通する排気の熱により暖められ、該開口を通過するオイルの温度が上昇される。
【００２９】
更に、オイル落し通路１５を排気ポート６の近傍に設けることにより、オイル落し通路１５を流通するときにも、オイルは排気の熱を受けることができるので、更に速やかな温度上昇が可能となる。
【００３０】
一方、シリンダヘッド１ａとシリンダブロック１ｂとの合わせ面であって、シリンダヘッド１ａ側のオイル落し通路１５には、温度が高くなるに従い開弁量が大きくなる油量調整弁１７が備えられている。この油量調整弁１７は、例えば、温度に応じて変形するバイメタルを用いて、自動的に開度が調整されるものであっても良く、また、オイルの温度をセンサにより測定し、この測定された温度に基づいて弁開度がモータ等により調整されるものであっても良い。この油量調整弁１７は、オイルの温度がいかに低くても、完全に閉弁することはない。
【００３１】
このような油量調整弁１７を備えることにより、オイルの温度が低い場合には、オイル落し通路１５を流通するオイルの速度が低下し、また、オイル溜まり１６にオイルが滞留する時間が長くなり、オイル落し通路１５やその開口部、及びオイル溜まり１６においてより多くの熱を受けることが可能となる。
【００３２】
尚、本実施例においては、油量調整弁１７を備える代わりに、オイル落し通路１５の通路断面積を一部小さくしておいても良い。
【００３３】
図３は、オイル落し通路１５の途中に絞り１５ａを備えたエンジンの概略構成図である。このように、通路断面積を一部小さくしておくと、オイルの温度が低く粘性が高い場合には、該オイルは流れ難くなりオイル溜まり１６に貯留されるオイルの量を多くし、また、オイル落し通路１５を流通するオイルの速度を遅くすることができる。一方、オイルの温度が高くなり粘性が低下すると、該オイルは流れやすくなりオイルパン１ｃに速やかに流れ落ちる。
【００３４】
尚、本実施例においては、メインオイルギャラリ１４を排気ポート６の直下のシリンダヘッド１ａに設けるようにしても良い。
【００３５】
図４は、メインオイルギャラリ１４を排気ポート６の直下に設けたエンジンの概略構成を示す図である。
【００３６】
メインオイルギャラリ１４を排気ポート６の直下に設け、更に、メインオイルギャラリ１４からクランクシャフト３へ至るオイル通路１３の途中には、サブオイルギャラリ１４ａが設けられている。このサブオイルギャラリ１４ａから、クランクシャフト３の被潤滑部にオイルが供給される。このようにすることで、メインオイルギャラリ１４に蓄えられたオイルが排気の熱を受けることができ、オイルの温度を速やかに上昇させることができる。
【００３７】
以上説明したように、本実施例によれば、エンジン１の冷間始動時等であって、オイルの温度が低い場合には、オイル溜まり１６でオイルが受ける熱量が増大し、オイルの温度を速やかに上昇させることができる。これにより、エンジン１の暖機を速やかに完了させることができる。また、オイルの温度を速やかに上昇させることにより、該オイルの粘性を速やかに低下させることができ、エンジン１の効率を向上させることができる。従って、燃費を向上させることができる。
【００３８】
一方、オイルの温度が高くなると、オイル落し通路１５を流通するオイルの量が増加するので、必要以上に排気の熱を受けることがなく該オイルの温度が過剰に上昇することを抑制することができる。
【図面の簡単な説明】
【００３９】
【図１】本願発明の実施例に係るエンジンの概略構成を示す図である。
【図２】図２（Ａ）はシリンダヘッドの下面視、図２（Ｂ）はシリンダヘッドの上面視である。
【図３】オイル落し通路の途中に絞りを備えたエンジンの概略構成図である。
【図４】メインオイルギャラリを排気ポートの直下に設けたエンジンの概略構成を示す図である。
【符号の説明】
【００４０】
１      エンジン
１ａ    シリンダヘッド
１ｂ    シリンダブロック
１ｃ    オイルパン
１ｄ    動弁室
２      ピストン
３      クランクシャフト
４      コネクティングロッド
５      吸気ポート
６      排気ポート
７      燃焼室
８      吸気弁
９      排気弁
１０    吸気カムシャフト
１１    排気カムシャフト
１２    オイルポンプ
１３    オイル通路
１４    メインオイルギャラリ
１４ａ  サブオイルギャラリ
１５    オイル落し通路
１６    オイル溜まり
１７    油量調整弁
【図１】
2005042622.tif 000003
【図２】
2005042622.tif 000004
【図３】
2005042622.tif 000005
【図４】
2005042622.tif 000006